(57)【要約】【課題】本発明は、織機の綜絖軸のための軸連結デバイスを提供することを目的とする。【解決手段】本発明による軸連結デバイス（１８）は、最小の横方向の遊びで互いに適合するスラスト棒（８）および横支持材（４）を備える。さらに、軸連結デバイス（１８）は、ストップ手段（６０、６０’、６６）および固定手段（３０、３０’）を有する締め付けデバイス（１６）を備え、固定手段（３０、３０’）は専らそれぞれの上端で互いに対して横支持材（４）およびスラスト棒（８）を連結する。スラスト棒（８）と横支持材（４）との間の連結部の任意の開放、閉鎖および調整は、特に簡単で好都合な形において可能である。横支持材（４）およびスラスト棒（８）は、互いに支持し、したがって、高い動的耐荷力を結果として生じる。全体的な設計は、簡素かつ明白であり、コスト効率がよい。【選択図】図１
2009007734.tif 000002
【特許請求の範囲】
【請求項１】
織機の綜絖軸（１）のための軸連結デバイス（１８）であって、
動作中、垂直に配置され、上部軸棒（２）および下部軸棒（３）を互いに連結する横支持材（４）と、
上部自由端を有し、前記横支持材（４）に対して当接して配置され、その下端部で、動作中に往復移動する駆動装置に連結されるスラスト棒（８）と、
前記スラスト棒（８）に対し前記綜絖軸（１）の高さを画定し、前記横支持材（４）に関連付けられ前記横支持材（４）に配置される調整手段（６０、６０’、６６）と、を備える軸連結デバイス（１８）。
【請求項２】
前記調整手段（６０、６０’、６６）は、前記スラスト棒（８）と直接的に接触状態にあることを特徴とする、請求項１に記載の軸連結デバイス。
【請求項３】
前記スラスト棒（８）に対する前記綜絖軸（１）の高さを調整するために、前記調整手段（６０、６０’、６６）は、前記横支持材（４）の上端部に配置されることを特徴とする、請求項１に記載の軸連結デバイス。
【請求項４】
前記調整手段（６０、６０’）は、移動可能であるように保持されることを特徴とする、請求項１または２に記載の軸連結デバイス。
【請求項５】
前記スラスト棒（８）は、一方の端部に、前記綜絖軸（１）の高さを調整するときに、前記調整手段（６０、６０’、６６）と相互作用する端面（６３、６３’）を有することを特徴とする、請求項１または２に記載の軸連結デバイス。
【請求項６】
前記スラスト棒（８）は、一方の端部に、前記綜絖軸（１）の高さを調整するときに、前記調整手段（６０、６０’）と接触状態にある端面（６３、６３’）を有することを特徴とする、請求項１または２に記載の軸連結デバイス。
【請求項７】
前記スラスト棒（８）の上部自由端に所定の場所で前記横支持材（４）を締め付けるために、前記横支持材（４）の上端部に配置される締め付けデバイス（１６、１６’）を備える、請求項１または２に記載の軸連結デバイス。
【請求項８】
前記締め付けデバイス（１６、１６’）は、前記上部軸棒（２）の上方に配置されることを特徴とする、請求項６に記載の軸連結デバイス。
【請求項９】
前記締め付けデバイス（１６、１６’）は、前記スラスト棒（８）の上方に配置されることを特徴とする、請求項６に記載の軸連結デバイス。
【請求項１０】
前記横支持材（４）および前記スラスト棒（８）は、互いの周囲に延在するように配置されることを特徴とする、請求項１に記載の軸連結デバイス。
【請求項１１】
前記横支持材（４）は、開放側が前記軸棒（２、３）に面するＵ字形の輪郭の棒であることを特徴とする、請求項１に記載の軸連結デバイス。
【請求項１２】
前記スラスト棒（８）は、前記横支持材（４）の中を延在することを特徴とする、請求項１に記載の軸連結デバイス。
【請求項１３】
前記スラスト棒（８）は、矩形の全輪郭の棒として構成されることを特徴とする、請求項１に記載の軸連結デバイス。
【請求項１４】
前記横支持材（４）は、摺動案内デバイス（６）と係合状態にあることを特徴とする、請求項１に記載の軸連結デバイス。
【請求項１５】
前記スラスト棒（８）は、前記横支持材（４）の周囲に延在するＵ字形の輪郭の棒として構成されることを特徴とする、請求項１に記載の軸連結デバイス。
【請求項１６】
前記横支持材（４）は、Ｕ字形の輪郭の棒として構成されることを特徴とする、請求項１に記載の軸連結デバイス。
【請求項１７】
前記スラスト棒（８）の上端部は、全輪郭の棒（３９）であることを特徴とする、請求項１に記載の軸連結デバイス。
【請求項１８】
前記スラスト棒（８）は、摺動案内デバイス（６）と係合状態にあることを特徴とする、請求項１に記載の軸連結デバイス。
【請求項１９】
前記全輪郭の棒（３９）は、摺動案内デバイス（６）と係合状態にあることを特徴とする、請求項１７に記載の軸連結デバイス。
【請求項２０】
前記締め付けデバイス（１６、１７）は、前記横支持材（４、５）および前記スラスト棒（８、９）を互いに対して引き合うように設定されることを特徴とする、請求項７に記載の軸連結デバイス。
【請求項２１】
前記横支持材（４）および前記スラスト棒（８）は、歯（３５）を備え、前記歯によって、前記横支持材（４）および前記スラスト棒（８）が、互いに係合状態にあることを特徴とする、請求項１に記載の軸連結デバイス。
【請求項２２】
前記締め付けデバイス（１６、１７）は、くさび形締め付けデバイスであることを特徴とする、請求項７に記載の軸連結デバイス。
【請求項２３】
前記くさび形締め付けデバイスは、固定手段（３０）によって、前記スラスト棒（８）に向かって移動することができ、それを行う際に、当接面（５８）に当接するくさび部品（５４）を備え、前記当接面は、前記スラスト棒（８）に対して傾斜して配置されることを特徴とする、請求項２２に記載の軸連結デバイス。
【請求項２４】
織機の駆動デバイスから綜絖軸（１）を分離するための方法であって、前記綜絖軸（１）は、請求項６に記載の軸連結デバイス（１８）を備え、前記織機の前記駆動デバイスから前記綜絖軸（１）を分離するためのアクセスは、専ら前記上部軸棒（２）の上から行われることを特徴とする、前記方法。
【請求項２５】
織機の駆動デバイスから綜絖軸（１）を分離するための方法であって、前記綜絖軸（１）は、請求項６に記載の軸連結デバイス（１８）を備え、前記織機の前記駆動デバイスから前記綜絖軸（１）を分離するとき、前記締め付けデバイス（１６、１６’）以外の部品は、開放またはシフトする必要がないことを特徴とする、前記方法。
【発明の詳細な説明】
【技術分野】
【０００１】
本発明は、織機の綜絖（ヘルド）軸のための軸連結デバイスに関する。
【背景技術】
【０００２】
大半の場合において、織機は、多数の綜絖（ヘルド）を保持する本質的に矩形の枠によって具体化される複数の綜絖軸を備える。綜絖軸は通常、動作中、水平に保持される２つの軸棒を有し、上記の綜絖軸は垂直に向けられる横支持材によってそれらの端部に連結される。これらのユニットは、軸駆動装置によって垂直方向に上下に移動される。
【０００３】
そのような綜絖軸は、たとえば、特許文献１に開示されている。垂直方向に綜絖軸を移動するために、その２つの横支持材は、それぞれの横端部でスラスト棒に連結される。これを行うために、スラスト棒は、垂直案内装置の往復台に連結される。綜絖軸の横支持材もまた、適切なフックによって垂直案内装置の往復台に連結される。
【０００４】
種々の理由のために、綜絖軸は、織機から時折、取り外され、次に、上記の織機に戻す必要がある。これを達成するために、スラスト棒と横支持材との間の連結は、分離されなければならない。これは、最も簡素な形で、少数の動きのみによって可能であるべきである。他方、連結を確実に再確立することも可能でなければならない。
【０００５】
特許文献２は、案内された形で垂直にシフトされることができる横支持材を備える綜絖軸を開示している。その上端部に、横支持材は、取り付けブロックによって支持される。スラスト棒のねじ山付き自由上端部は、これらの支持ブロックに固定され、ナットを用いて上記のブロックに螺着される。スラスト棒は、個別に案内され、横支持材から一定の距離にある。
【０００６】
異なる概念は、特許文献３によって示されている。この実用新案は、基部として、牽引手段によって上下に移動される綜絖軸を用いる。牽引手段は、たとえば、ロープである。牽引手段は、綜絖軸を移動して案内するために、横支持材の上端部に装着し、上記の牽引手段は、締め付けデバイスによって横支持材の上端部に固着される。
【０００７】
別の概念は、特許文献４から公知である。この文献は、中空の横支持材を有する綜絖軸を開示しており、その場合には、駆動棒は上記の横支持材の内部空間を通って垂直方向に延在する。スラスト棒は、その下端部に、横支持材に螺着されるねじ山を有する。横支持材の上端部には、調整ねじが設けられ、それによって、上記のねじの端面は、スラスト棒の端面に当接する。
【０００８】
審査された日本の特許文献５は、スラスト棒が、積極的に固締(positive-locking)する形で、綜絖軸の横支持材を受け入れうるように構成されることを教示している。締め付けねじを用いた締め具は、綜絖軸の締め付けまたは開放のために用いられる。スラスト棒は、静止案内装置によって案内され、したがって、綜絖軸の案内も行う。上部からの綜絖軸の高さ調整は、可能ではない。
【特許文献１】米国特許第６３７８５６４号
【特許文献２】特開平９−２１０３０公報
【特許文献３】独国実用新案第９１０３０３１号（Ｕ１）
【特許文献４】欧州特許第０５２０５４０号（Ａ１）
【特許文献５】実公平６−３８１２４公報
【発明の開示】
【発明が解決しようとする課題】
【０００９】
本発明の目的は、織機の綜絖軸のための軸連結デバイスを提供することであり、上記の連結デバイスは、簡単な形でかつ安全に取り扱うために構成される。さらに、最もたやすいと考えられる操作が可能とされる。
【課題を解決するための手段】
【００１０】
本目的は、請求項１に記載の軸連結デバイスに基づいて達成される。
【００１１】
本発明による軸連結デバイスは、動作中に垂直に配置される横支持材を備え、自由上端部を有するスラスト棒を備え、それによって、動作中に上記のスラスト棒が、その下端部で垂直方向に上下に駆動され、それによって、上記のスラスト棒の長さの最大部分が、横支持材に当接する。この結果として、スラスト棒は、横支持材によって安定化されて案内される。たとえば、これを達成するために、上記のスラスト棒は、横支持材の中空空間または内部空間を通って延在してもよく、それによって、上記の棒は上記の中空空間を画定する横支持材の内部に当接する。しかし、上記のスラスト棒自体もまた、中空であってもよく、たとえば、Ｕ字形の断面を有し、横支持材を包囲する。いずれの場合においても、スラスト棒および横支持材は、互いの周囲に延在する。したがって、スラスト棒および横支持材は相互に支持している。
【００１２】
本発明の特に簡単な実施形態は、スラスト棒が、２つの平坦な側面が互いに逆に面し、上記の平坦な側面が横支持材の２つの対向する内部側面に当接する矩形の断面を有する場合およびスラスト棒が上記の内部側面に沿って振り子状で移動することができる場合に達成される。スラスト棒の一定の柔軟性は次に、その矩形断面の狭い側面の方向においてスラスト棒の柔軟な移動を可能にする。一方では、これは、スラスト力の確実な伝達を可能にし、他方では、スラスト棒は、中間案内を経ることなく、弓形経路に沿って移動される蝶番に連結されてもよい。
【００１３】
スラスト棒と横支持材との間の力を伝達するための連結を達成するために、締め付けデバイスが、好ましくは軸棒と横支持材の上部連結の上方で、横支持材の上端部に配置され、上記の締め付けデバイスが、スラスト棒の上部自由端の所定の場所で横支持材を締め付けるように配置される。この結果として、それぞれの綜絖軸は、織機において上から懸架されてもよい。調整手段は、横支持材と関連付けられる。たとえば、織機から綜絖軸を取り外すために、横支持材およびスラスト棒が互いから離隔される場合には、たとえば、締め付けデバイスとして構成される調整手段は、横支持材の上に依然として残る。
【００１４】
横支持材および／またはスラスト棒上のストップ手段は、織機の中で下方向への綜絖軸の挿入を制限する。これらのストップ手段はさらに、０〜４０ｍｍの範囲内で、互いに対して綜絖軸の高さ調整を可能にする。これを達成するために、ストップ手段は、横支持材にねじを有してもよく、上記のねじは、スラスト棒のストップ縁部またはストップ面に対して調整可能であるように支持される。軸の高さの調整は、たとえば、ロックナットの形状の固定デバイスによって固定されてもよい。綜絖軸の高さの調整を容易にするために、横支持材またはスラスト棒は、測定スケールを備えてもよい。しかし、測定手段、テンプレートなどの他の調整補助具を用いることも可能である。
【００１５】
綜絖軸の高さを固定および／または調整するために、作業者は、横支持材の上側面に位置している締め付けデバイスへのアクセスを必要とするだけである。作業者が締め付けデバイスを締結するとすぐに、遊びのない連結が、横支持材とスラスト棒との間に確立された。綜絖軸の下の部分または要素へのアクセスは、必要ではない。これは、綜絖軸の交換のほか、綜絖軸の高さの調整にも当てはまる。
【００１６】
綜絖軸は、横支持材によってのみ駆動される。駆動要素は、綜絖軸に接触しない。これは、製作コストを削減する。
【００１７】
好ましくは、横支持材は、たとえば、軸棒に面する開放側面を有するＵ字形の輪郭の棒を呈する屈曲シート金属形材である。そのような横支持材は、簡単かつコスト効率のよい形で製作されることができる。さらに、軸棒連結部は、Ｕ字形の輪郭の横支持材の開放内部空間から突出する輪郭を有する部品からなり、軸棒の内部空間に延在してもよい。スラスト棒は、Ｕ字形の輪郭の棒の内部空間を通って長手方向に延在してもよい。それを行う際には、スラスト棒は少なくともＵ字形の輪郭の棒の２つの平坦な横リムに当接し、上記の棒の後面にも任意に当接することが好ましい。それを行う際には、スラスト棒は、異なる断面を有し、たとえば、矩形の輪郭を有する、全輪郭(full profile)の棒（閉じた輪郭の棒）として構成されてもよい。好ましくは、上記のスラスト棒の全面が、Ｕ字形の輪郭の棒の内面に当接する。
【００１８】
この場合には、横支持材は、摺動案内デバイスと係合することが好ましい。スラスト棒用の個別の案内デバイスは、必要ではない。スラスト棒自体は、横支持材によって案内される。
【００１９】
横支持材を包囲するＵ字形の輪郭の棒としてスラスト棒を構成することもまた、可能である。この場合には、横支持材は、全輪郭であってもよく、またはＵ字形の輪郭の棒であってもよい。しかし、これに関連して、横支持材の上端部は、締め付けデバイスが装着される全輪郭の棒であることが好ましい。この実施形態を考慮すると、スラスト棒は、摺動案内デバイスと係合してもよい。この場合には、スラスト棒は、駆動機能のほか、綜絖軸用の案内機能も引き受ける。
【００２０】
締め付けデバイスは、横支持材およびスラスト棒を互いに対して支持するように設計されることが好ましい。これは、要素を介在することなく、直接的な接触において直接的に達成されることが好ましい。最も簡素な場合において、力の伝達は、摩擦接触によって生じる。これを達成するために、横支持材およびスラスト棒はそれぞれ、締め付け面を有する。２つの締め付け面は、互いに対して引き合わせられ、摩擦接触を生じる。
【００２１】
横支持材およびスラスト棒に噛み合う歯を提供することも可能である。したがって、締め付けデバイスは、スラスト棒と横支持材との間の積極的な固締連結を達成する。歯は、歯の間隔に対応するステップでの高さの調整を可能にする。これは、特に確実な力の伝達を保証する。
【００２２】
締め付けデバイスは、傾斜面に支持される締め付けくさびを備え、上記の面は、スラスト棒に対して傾斜して配置され、たとえば、ねじ式の固定手段を備える。固定手段を調整することによって、その傾斜面によって案内される締め付けくさびは、スラスト棒へ向かって移動し、所定の場所に上記の棒を締め付ける。締め付けくさびの端面およびスラスト棒の端面はいずれも、特定の耐荷力を呈する連結部を形成する歯を有してもよい。この結果として、積極的な固締連結および非積極的な固締連結が可能となる。
【００２３】
本発明の好都合な実施形態のさらなる詳細は、図面、詳細な説明または特許請求の範囲から明白である。詳細な説明は、本発明の本質的な態様のほか、種々雑多な状況に限定される。図面は、必要に応じて、当業者が参照しうるさらなる詳細を含む。
【００２４】
図面は、本発明の例示の実施形態を示す。
【発明を実施するための最良の形態】
【００２５】
図１は、織機に組み込まれる綜絖軸を示しており、上記の綜絖軸は、動作中、水平に配置される上部軸棒２と、上記の上部軸棒２から一定の距離で平行に配置される下部軸棒３と、軸棒２、３の端部を互いに連結する２つの横支持材４、５と、に関連付けられる。綜絖支持レールは、軸棒２、３に保持され、それによって動作中、垂直に配置される綜絖は、上記の綜絖支持レールの間に延在する。
【００２６】
綜絖軸１は、適切な案内装置６、７において垂直にシフトされることができるように支持される。案内装置６、７には、たとえば、横支持材４、５がシフトされることができるような横支持材４、５を支持する摺動案内装置であってもよい。横支持材４、５は、たとえば、中空の輪郭を有するよう構成される。スラスト棒８、９は、上記の輪郭の内部空間を通って延在し、それによって、上記のスラスト棒は、それらの下端部１０、１１で垂直方向に駆動される。すなわち、スラスト棒は、上下に揺動する。本例示の実施形態において、これを達成するために、連結棒１２、１３が用いられ、上記の連結棒は、矩形のレバー１４、１５に連結される。
【００２７】
締め付けデバイス１６は、横支持材４をスラスト棒８に連結するために用いられる。締め付けデバイス１７は、横支持材５をスラスト棒９に連結するために用いられる。両方の締め付けデバイス１６、１７は、それぞれの横支持材４、５で上部軸棒２の上に配置されることが好ましい。この結果として、横支持材４、５にアクセスして扱うことがより簡単である。横支持材４、５および締め付けデバイス１６、１７は、本質的に鏡面対称であるように構成される。したがって、締め付けデバイス１６の次の説明は、締め付けデバイス１７にも同様に当てはまる。
【００２８】
横支持材４およびスラスト棒８と共に、締め付けデバイス１６は、図２の斜視図に示されているように、軸連結デバイス１８を形成する。その詳細は、図３〜図７による綜絖軸１の図およびその仕様から明白である。
【００２９】
図４によって示されているように、横支持材４は、２つのリム１９、２０および上記のリムを連結する帯板２１の形状の後部を有するＵ字形の輪郭体である。さらなる補剛のために、リム１９、２０は、その縁部２２、２３に沿って屈曲される。横支持材４は、内部空間を包囲し、その中をスラスト棒８が延在する。好ましくは、スラスト棒８は、横支持材４の中に最小の遊びで配置され、その結果、スラスト棒８およびリム１９、２０の内部がそれぞれ、比較的狭い間隙を画定する。したがって、スラスト棒８は、スラスト棒８の長手方向において、横支持材４の中で容易に往復移動することができる。
【００３０】
図５は、横支持材４を単独で示している。軸棒２、３を装着するために、上記の横支持材は、それぞれに１つの連結部品２４、２５を有する。連結部品２４、２５は、リム１９、２０の間で保持され、固着手段４６、たとえば溶接スポットによって連結部品２４、２５と連結される。連結部品２４、２５は、それぞれ、帯板２１との間の１つの通路２６、２７を残し、それによって、スラスト棒８は、上記の通路の中を延在しうる。通路２６、２７へのスラスト棒の挿入を容易にするために、連結部品２４、２５は、面取りされた縁部を有してもよい。
【００３１】
図６は、スラスト棒８を単独で示している。スラスト棒８は、矩形の輪郭を有することが好ましい（図６（Ｂ））直線状の棒からなる。スラスト棒８の対向する平坦な側面は、面取りされた縁部４７、４８に沿って後部側面４９に繋がる。また、スラスト棒８の上部端面６３は、面取り部によって後部側面４９に繋がる。特に通路２６、２７における横支持材４へのスラスト棒８の挿入は、これらの面取り部４７、４８のほか、連結部品２４、２５の面取り部４４、４５によって促進される。動作中、スラスト棒８の後部側面４９は、横支持材４の帯板２１の内部で当接する。スラスト棒８は、一方の端部では後部側面によって、他方の端部では狭い側面６５によって画定される。好ましくは、スラスト棒８は、上記の棒の全長に沿って連続的に一定の断面を有する。上記のスラスト棒は、個別の直線案内装置２９（図３）に割り当てられてもよい連結要素２８を（図６（Ａ）、図６（Ｃ））その下端に備えてもよい。連結棒１２は、適切な蝶番連結によって連結要素２８に隣接してもよい。
【００３２】
締め付けデバイス１６は、横支持材４の上部自由端に配置される（図７（Ａ））。締め付けデバイス１６は、平行六面体の形状を有する挿入物５０を有し、上記の挿入物は、金属材料からなることが好ましい。この挿入物５０は、公知の固着手段４６（図５）を用いて、横支持材４の２つのリム１９、２０の間の所定の場所に保持される。挿入物５０は、好ましくは固定手段３０の収容のためのねじ孔５１を有してもよい。固定手段３０はねじとして構成されてもよい。締め付けデバイス１６はまた、横支持材４の２つのリム１９、２０の間で移動可能な形で保持されるくさび部品５４を備える。これを行う際に、くさび部品５４の２つの平坦な側面は、横面（リム）１９、２０と接触してもよい。くさび部品５４は、固定手段３０とは逆に面するその端面に、くさび形状の端部５７を有する。弛緩状態において、このくさび形状の端部は、連結部品２４の相補型当接面５８と当接してもよく、または相補型当接面５８から最小の距離にあってもよい。くさび部品５４は、ばね要素５５によってシフト可能な形で保持され、上記のばね要素は、縁部２２、２３の屈曲リム１９、２０の端面に当接する。ばね要素５５は、板ばねの形状を有してもよく、保持手段５６によってくさび部品５４に連結される。弛緩状態（図７（Ａ））において、くさび部品５４の第１の狭い側面５９は、Ｕ字形状の横支持材４の開口部を越えて突出してもよいが、横支持材４と同一平面であってもよい。くさび部品５４の第２の狭い側面６１は、スラスト棒８の狭い側面６５に向かう方向に向けられる。固定手段３０が調整し、したがって図７（Ａ）および図７（Ｂ）における距離Ｙを減少させる場合には、連結部品２４の当接面５８とそのくさび形状の端部５７の相互作用のため、くさび部品５４は軸棒２に強固に連結されているため、くさび部品５４は、スラスト棒８に向かって横支持材４の長手方向に対して横断する方向に移動する。固定手段３０は、スラスト棒８がくさび部品５４の第２の狭い側面６１と横支持材４の帯板２１との間で強固に締め付けられるまで調整されてもよい（図７（Ｂ））。この結果として、綜絖軸１の駆動が、スラスト棒８および横支持材４を介して確保される。スラスト棒８の方向におけるくさび部品５４のシフトにより、ばね手段５５の引張が生じる。したがって、力Ｆ（図７（Ｂ））が生成され、それによって、上記の力の最大部分が、横支持材４の長手方向に対して横断する方向に作用し、くさび部品５４のシフト方向に対抗する。この力に起因して、固定手段３０が解放されるとき、くさび部品５４は、その開始位置（図７（Ａ））に移動する。
【００３３】
図８（Ａ）および図８（Ｂ）は、締め付けデバイス１６の異なる例示の実施形態を示している。締め付け部品５４の第２の狭い側面６１および上記の締め付け部品に対向するスラスト棒８の狭い側面６５を除いて、図７および図８による締め付けデバイスは、同一である。説明は、同一の参照符号に関して類似である。スラスト棒８と締め付け部品５４との積極的な固締連結、すなわち軸連結デバイス１８と綜絖軸１の連結を可能にするために、締め付け部品５４の第２の狭い側面６１およびスラスト棒８のそれに対向する狭い側面６５は、たとえば、歯３５の形状の積極的な固締手段を有する。この結果として、特に強くて安定した連結が可能である。図８（Ａ）は、弛緩状態における締め付けデバイス１６を示しているのに対し、図８（Ｂ）は、緊張状態における締め付けデバイス１６を示している。
【００３４】
図９（Ａ）および図９（Ｂ）は、締め付けデバイス１６の別の例示の実施形態を示している。締め付け部品５４の第２の狭い側面６１および上記の締め付け部品に対向するスラスト棒８の狭い側面６５を除いて、図７および図９による締め付けデバイスは、同一である。説明は、同一の参照符号に関して類似である。スラスト棒８と締め付け部品５４との積極的な固締連結を確立するために、締め付け部品５４の第２の狭い側面６１は、横支持材４の後部に対して鋭角αで配置される。スラスト棒８の狭い側面６５は、狭い側面６１に対して相補的であるように配置される。固定手段３０を調整することによって、距離Ｙが減少される場合には、図９による締め付けデバイス１６は、スラスト棒８を調整手段６０に対して上向きに非積極的な形で当接させる。図９（Ａ）は、弛緩状態における締め付けデバイス１６を示しているのに対し、図９（Ｂ）は、緊張状態における締め付けデバイス１６を示している。
【００３５】
固定手段３０に加えて、締め付けデバイス１６は、たとえば、調整手段６０の形状のストップ手段または据え付け手段を備えうる。図７によって示されているように、調整手段６０は、ねじであってもよく、スラスト棒８の長手方向において調整されることができるように保持されてもよい。これを行うために、挿入物５０は、調整手段６０を収容する第２のねじ孔５２を有してもよい。調整手段６０は、公知のデバイス、たとえば六角ソケットが、上記のデバイスの一端で用いられてもよいという点で調整されることができる。調整手段６０は、調整手段６０の調節デバイスに対向する端部に当接面６２を有する。この当接６２は、スラスト棒８の端面６３と共に作用する。たとえば、ロックナットの形状の保持手段６４は、調整手段６０を固定するために用いられてもよい。
【００３６】
図１０は、締め付けデバイス１６の別の例示の実施形態を示している。締め付けデバイス１６の挿入物５０’は、ストップ面６６の形状で、簡略化された調整または据え付けデバイス６０を備える。この調整手段は、静止した状態で保持される。ストップ面６６は、スラスト棒８の端面６３に対向している。横支持材４は、その端部領域に凹部６８を有する。スラスト棒８に対して綜絖軸１の位置を固定するために、間隙手段６７は、この凹部６８と係合することができる。これは、織機における複数の綜絖軸１の高速かつ容易な調整を可能にする。異なる高さを有する間隙手段６７が、複数の綜絖軸１の異なる高さの調整のために用いられてもよい。それ以外は、図１０による例示の実施形態を参照して、同一の参照符号に関する説明は、同様に当てはまる。
【００３７】
調整手段６０は、スラスト棒８に設けられることも可能である。この場合には、調整手段は、締め付けデバイス１６の構成部材ではない。たとえば、突出部７５の形状である調整手段は、図６（Ｃ）に示されているように、スラスト棒８の下端に設けられる。突出部７５は、スラスト棒８における対応する孔に強固に着座されるピンの形状を有してもよい。突出部７５はまた、スラスト棒８に一体部品で継ぎ目なく装着されてもよい。このように設計された調整手段は、綜絖軸１の挿入中に、横支持材４が綜絖軸１のスラスト棒８を下向きに落とさないようにする。したがって、綜絖軸１はまた、綜絖軸１が織機の駆動デバイスに連結されるときに、連結要素２８と接触しないようにする。
【００３８】
これまで記載した軸連結デバイス１８は、以下のように動作する。
【００３９】
動作中、綜絖軸１は、図３によって示されているように、その駆動デバイスに連結される。これを行うために、綜絖軸１は、上からスラスト棒８に押し込まれ、固定手段３０を締結することによって所望の高さで所定の場所に固締される。したがって、スラスト棒８の各駆動の動きは、綜絖軸１に伝達される。スラスト棒８は、リム１９、２０の間に据え付けられる。スラスト棒がスラスト力を伝達するとき、上記のスラスト棒は、横方向に生じる動きを行うことはできない。したがって、駆動の動きは、確実な形で、遊びがない状態で、綜絖軸１に伝達される。
【００４０】
綜絖軸１の高さが調整されることになっている場合には、固定手段３０は、開放され、横支持材４は、スラスト棒８に対して上下に移動する。このシフトは、調整手段６０によって行われてもよい。所望の位置に達すると、固定手段３０は再び完全に締められる。これはまた、締め付けデバイス１６の特徴を本質的に備える締め付けデバイス１７にも当てはまる。したがって、上記の説明は、同様に当てはまる。綜絖軸１の高さの容易な調整のために、横支持材４、５および／またはスラスト棒８、９は、たとえば、測定スケールの形状のマーク（図示せず）を有してもよい。
【００４１】
綜絖軸１を交換するために、締め付けデバイス１６の固定手段３０のほか、締め付けデバイス１７の固定手段も開放される。次に、図１１によって示されているように、綜絖軸１は、スラスト棒８（および９）から上向きに引っ張って外される。続いて、同じ綜絖軸１または別の綜絖軸１が、再びスラスト棒８（および９）上を摺動され、所望の高さの位置に固定される。綜絖軸１の交換または駆動デバイスから綜絖軸１の分離または本発明の軸連結デバイス１８による綜絖軸１の高さの調整を行うときには、固定手段３０を開放する以外には、他の部品は、開放またはシフトを行う必要はない。すなわち、横支持材４、５の長手方向にも、軸棒２、３の長手方向にもシフトする必要はない。案内装置６、７、２９は、静止した状態で保持されてもよい。それでも、綜絖軸１を交換することは可能である。
【００４２】
軸連結デバイス１８の上記および以下の説明は、同一の方策において、横支持材５の軸連結デバイスに関連していることは理解されよう。この点で、締め付けデバイス１６の締結は同時に、締め付けデバイス１７の締結を意味する。締め付けデバイス１６の開放は同時に、締め付けデバイス１７の開放を意味する。
【００４３】
図１１は、スラスト棒８から分離されるときの綜絖軸１を示している。ここで、その横支持材４がスラスト棒８を摺動することで、上記の綜絖軸は、スラスト棒８上で交換されることができる。次に、上述したように、綜絖軸は所望の加工高さで固締されてもよい。明白であるように、綜絖軸１の高さ調整および上記の綜絖軸の交換は、綜絖軸１の下の空間にアクセスすることを必要としない。したがって、本発明による軸連結デバイス１８の扱いは、特に好都合である。
【００４４】
図１２は、綜絖軸１の改変された実施形態を示している。この実施形態は、連接要素２８、直線案内装置２９および連結棒１２を有していないという点で、上述の綜絖軸１とは異なる。この場合には、スラスト棒８は、角度レバー１４に直接的に連結される。スラスト棒８は、軸棒３または横支持材４の帯板２１の方向において生じることを可能にする一定の柔軟性または弾力性を呈する。したがって、スラスト棒８は、その下部蝶番点３１で揺動するように角度レバー１４の枢動運動を伴ってもよい。これは、特に横支持材４におけるスラスト棒８が枢動運動を行うことができる場合に当てはまる。次に、締め付けデバイス１６から蝶番点３１までの全長は、スラスト棒８の柔軟な撓みおよび枢動に利用可能である。これを達成するため、特に帯板２１に対して垂直に測定される下部通路２７は、同一の方向に測定されるスラスト棒８の幅より広い。同様に、通路２６（図５）の幅は、同一の方向に測定されるスラスト棒８の幅より大きいことが好ましい。
【００４５】
図１３〜図１７は、本発明の別の実施形態を示している。この実施形態の特別な特徴は、横支持材４（図１５）のほか、スラスト棒８（図１４）がＵ字形の輪郭として構成されることである。これは、スラスト棒８の特に堅い実施形態のほか、横支持材４の特に堅い実施形態を提供する。この実施形態を参照すると、スラスト棒８のリム７０、７１は、横支持材４のリム１９、２０の周囲に延在する。特に図１７（Ａ）から明白であるように、横支持材４は、スラスト棒８の内側に配置される。図１４によって示されているように、スラスト棒８は、その上端に、上記の棒の上端を越えて延在する全輪郭の棒３９を備える。全輪郭の棒３９は、たとえば、スラスト棒８に溶接され、上記の棒の上端を表す。上記の全輪郭の棒は、たとえば、矩形の断面を有する。図１３によって示されているように、横支持材４は、その上端に、Ｕ字形状の締め付けカラー４０を有する。これは、横支持材４の後部または帯板２１を越えて延在し、その２つのリム７２、７３は、横支持材４のリム１９、２０に連結される。中実挿入物５０’は、横支持材４のリム１９、２０の間に静止して配置され、それによって固定手段３０’は、ねじ孔５１’に着座され、上記の固定手段３０’は、スラスト棒８の中心軸に対して横断方向に移動可能である。図１６および図１７（Ｂ）によって示されているように、上記の固定手段は、固定手段３０’が締結されるときに、締め付けカラー４０における所定の場所に全輪郭の棒３９を締め付けるために用いられることができる。さらに、全輪郭の棒３９は、図１６によって示されているように、摺動案内装置６と係合状態にあってもよい。
【００４６】
図１３〜図１７によれば、締め付けデバイス１６’は、固定手段３０’に加えて、調整手段６０’を備えてもよい。図１３によって示されているように、調整手段６０’は、ねじの形状を有し、スラスト棒８の長手方向において調整可能であるように保持されてもよい。これを行うために、挿入物５０’は、横支持材４を越えて突出する突出部７４を有してもよく、調整手段６０’を収容する第２のねじ孔５２’を有してもよい。調整手段６０’の調整のために、その端部は、公知のデバイス、たとえば六角ソケットを有してもよい。調整手段６０’の調整デバイスに対向する他方の端部は、当接面６２’を有する。当接６２’は、スラスト棒８の端面６３’と共に作用する。たとえば、ロックナット６４’の形状である保持手段６４’が、調整手段６０（６０’）を固定するために用いられてもよい。
【００４７】
本発明による軸連結デバイス１８は、最小の横方向の遊びで互いに嵌合するスラスト棒８および横支持材４を備える。さらに、軸連結デバイス１８は、ストップ手段６０、６０’、６６および固定手段３０、３０’を有する締め付けデバイス１６を備え、固定手段３０、３０’は専らそれぞれの上端で互いに対して横支持材４およびスラスト棒８を連結する。スラスト棒８と横支持材４との間の連結部の任意の開放、閉鎖および調整は、特に簡単で好都合な形において可能である。横支持材４およびスラスト棒８は、互いに支持し、したがって、高い動的耐荷力を結果として生じる。全体的な設計は、簡素かつ明白であり、コスト効率がよい。
【図面の簡単な説明】
【００４８】
【図１】綜絖軸の概略正面図である。
【図２】図１による綜絖軸の簡略斜視概略図の詳細である。
【図３】図１による綜絖軸の正面概略図である。
【図４】図３による綜絖軸の横支持材およびスラスト棒の水平方向の断面図である。
【図５】図３による綜絖軸の横支持材の正面図である。
【図６（Ａ）】図３による織機のスラスト棒の正面図である。
【図６（Ｂ）】図３による織機のスラスト棒の平面図である。
【図６（Ｃ）】図３による織機のスラスト棒の側面図である。
【図７（Ａ）】内側縁部を示す弛緩状態の図３による締め付けデバイスである。
【図７（Ｂ）】内側縁部を示す緊張状態の図３による締め付けデバイスである。
【図８（Ａ）】内側縁部を示す弛緩状態の図３による締め付けデバイスの改変実施形態である。
【図８（Ｂ）】内側縁部を示す緊張状態の図３による締め付けデバイスの改変実施形態である。
【図９（Ａ）】内側縁部を示す弛緩状態の図３による締め付けデバイスの別の改変実施形態である。
【図９（Ｂ）】内側縁部を示す緊張状態の図３による締め付けデバイスの別の改変実施形態である。
【図１０（Ａ）】内側縁部を示す弛緩状態の図３による締め付けデバイスの別の改変実施形態である。
【図１０（Ｂ）】内側縁部を示す緊張状態の図３による締め付けデバイスの別の改変実施形態である。
【図１１】装着していない状態における図３による綜絖軸である。
【図１２】図３に類似の綜絖軸の改変実施形態の正面図である。
【図１３】図１による綜絖軸の改変実施形態の簡略斜視概略図の詳細である。
【図１４】図１３による織機のスラスト棒の斜視概略図である。
【図１５】図１３による軸棒と連結した締め付けデバイスを有する横支持材の改変実施形態の斜視概略図である。
【図１６】改変した軸連結デバイスを有する図１３による綜絖軸の改変実施形態の正面図である。
【図１７（Ａ）】図１３による締め付けデバイスの水平方向における断面図である。
【図１７（Ｂ）】図１３による締め付けデバイスの水平方向における断面図である。
【符号の説明】
【００４９】
１  綜絖軸
２  軸棒
３  軸棒
４  横支持材
５  横支持材
６  案内装置
７  案内装置
８  スラスト棒
９  スラスト棒
１０  端部
１１  端部
１２  連結棒
１３  連結棒
１４  角度レバー
１５  角度レバー
１６  締め付けデバイス
１７  締め付けデバイス
１８  軸連結デバイス
１９  リム
２０  リム
２１  帯板、後部
２２  縁部
２３  縁部
２４  連結部品
２５  連結部品
２６  通路
２７  通路
２８  連結要素
２９  直線案内装置
３０  止めねじ、固定手段
３１  蝶番点
３５  歯
３９  全輪郭の棒
４０  締め付けカラー
４４  縁部
４５  縁部
４６  固着手段
４７  縁部
４８  縁部
４９  裏側面
５０  挿入物
５１  ねじ孔
５２  ねじ孔
５４  くさび部品
５５  ばね手段
５６  保持手段
５７  くさび形状の端部
５８  当接面
５９  第１の狭い側面
６０  据え付け手段、当接手段
６１  第２の狭い側面
６２  当接面
６３  端面
６４  保持手段
６５  狭い側面
６６  ストップ面
６７  間隙手段
６８  凹部
７０  リム
７１  リム
７２  リム
７３  リム
７４  突出部
７５  突出部
【図１】
2009007734.tif 000003
【図２】
2009007734.tif 000004
【図３】
2009007734.tif 000005
【図４】
2009007734.tif 000006
【図５】
2009007734.tif 000007
【図６（Ａ）】
2009007734.tif 000008
【図６（Ｂ）】
2009007734.tif 000009
【図６（Ｃ）】
2009007734.tif 000010
【図７（Ａ）】
2009007734.tif 000011
【図７（Ｂ）】
2009007734.tif 000012
【図８（Ａ）】
2009007734.tif 000013
【図８（Ｂ）】
2009007734.tif 000014
【図９（Ａ）】
2009007734.tif 000015
【図９（Ｂ）】
2009007734.tif 000016
【図１０（Ａ）】
2009007734.tif 000017
【図１０（Ｂ）】
2009007734.tif 000018
【図１１】
2009007734.tif 000019
【図１２】
2009007734.tif 000020
【図１３】
2009007734.tif 000021
【図１４】
2009007734.tif 000022
【図１５】
2009007734.tif 000023
【図１６】
2009007734.tif 000024
【図１７（Ａ）】
2009007734.tif 000025
【図１７（Ｂ）】
2009007734.tif 000026